(57)【特許請求の範囲】
【請求項１】
少なくとも１つのエンハンストノードＢ（ｅＮＢ）トランシーバを含む無線近傍において動作するユーザ機器（ＵＥ）のプロセッサにより実行されたときに、前記ＵＥに、
グループにおける周波数レイヤを測定する動作であって、前記グループのサイズは、前記グループに割り当てられた周波数レイヤの第１の数
【数１】
0006342520.tif 000128
であり、前記測定は、前記ＵＥにより決定される測定間隔繰り返し期間（ＭＧＲＰ）に従って実行される、動作と、
前記グループに割り当てられた周波数レイヤの測定を可能にするための、測定間隔の第２の数
【数２】
0006342520.tif 000129
を得る動作であって、
【数３】
0006342520.tif 000130
は、前記グループの前記サイズ及び前記ＭＧＲＰから導出される、動作と、
を実行させる、コンピュータプログラムであって、
【数４】
0006342520.tif 000131
は、式
【数５】
0006342520.tif 000132
を使用して得られ、
【数６】
0006342520.tif 000133
は、前記ＵＥにより測定される周波数レイヤの総数を表す、コンピュータプログラム。
【請求項２】
前記グループの前記サイズ
【数７】
0006342520.tif 000134
は、前記総数
【数８】
0006342520.tif 000135
未満である、請求項１記載のコンピュータプログラム。
【請求項３】
前記グループは、前記ＵＥと前記ＵＥのサービングｅＮＢとの間のサービング周波数レイヤを含まない、請求項１記載のコンピュータプログラム。
【請求項４】
前記グループは、前記ＵＥと前記無線近傍における他の基地局との間の周波数レイヤを含む、請求項１記載のコンピュータプログラム。
【請求項５】
前記グループは、前記ＵＥが動作している現在の無線アクセス技術（ＲＡＴ）における周波数レイヤを含む、請求項１記載のコンピュータプログラム。
【請求項６】
前記グループは、前記ｅＮＢと前記無線近傍における第２のＵＥとの間の周波数レイヤを含む、請求項５記載のコンピュータプログラム。
【請求項７】
前記グループは、前記無線近傍における第２のＵＥと第２のｅＮＢとの間の周波数レイヤを含む、請求項５記載のコンピュータプログラム。
【請求項８】
前記無線近傍は、前記ＵＥの無線アクセス技術（ＲＡＴ）において動作しているエンティティと前記ＵＥとは異なるＲＡＴにおいて動作している他のエンティティとを含む異種ネットワークである、請求項１記載のコンピュータプログラム。
【請求項９】
前記グループにおける前記周波数レイヤのうちの１以上の周波数レイヤは、前記ＵＥの現在のＲＡＴ外である、請求項８記載のコンピュータプログラム。
【請求項１０】
前記グループは、前記ＵＥと前記無線近傍における第２のＵＥとの間の周波数レイヤを含む、請求項１記載のコンピュータプログラム。
【請求項１１】
無線ネットワークにおいて使用されるユーザ機器（ＵＥ）であって、
前記無線ネットワークにおける進化型ノードＢ（ｅＮＢ）から、グループに割り当てられる周波数レイヤの第１の数
【数９】
0006342520.tif 000136
と、前記グループに割り当てられる周波数レイヤの測定が実行されるための測定間隔の第２の数
【数１０】
0006342520.tif 000137
と、を受信する通信モジュールであって、前記ＵＥは、前記ＵＥにより決定される測定間隔繰り返し期間（ＭＧＲＰ）に従って、前記グループにおける前記周波数レイヤを測定する、通信モジュール
を備え、
【数１１】
0006342520.tif 000138
は、前記第１の数及び前記ＭＧＲＰから導出され、
【数１２】
0006342520.tif 000139
は、式
【数１３】
0006342520.tif 000140
を使用して得られ、
【数１４】
0006342520.tif 000141
は、前記ＵＥにより測定される周波数レイヤの総数を表す、ＵＥ。
【請求項１２】
前記グループにおける前記周波数レイヤは、前記ＵＥと前記ＵＥのサービングｅＮＢとの間のサービング周波数レイヤを含まない、請求項１１記載のＵＥ。
【請求項１３】
前記グループは、
前記ＵＥと第２のｅＮＢとの間の周波数レイヤ、
前記ＵＥが動作している現在の無線アクセス技術（ＲＡＴ）における周波数レイヤ、
前記ｅＮＢと第２のＵＥとの間の周波数レイヤ、
第２のＵＥと第２のｅＮＢとの間の周波数レイヤ、
前記ＵＥの前記現在のＲＡＴ外の周波数レイヤ、及び
前記ＵＥと第２のＵＥとの間の周波数レイヤ
からなる群から選択される周波数レイヤを含む、請求項１１記載のＵＥ。
【請求項１４】
請求項１乃至１０のうちいずれか一項記載のコンピュータプログラムを記憶しているコンピュータ読み取り可能な記憶媒体。
【発明の詳細な説明】
【技術分野】
【０００１】
本出願は、ロングタームエボリューション（ＬＴＥ）規格の下で動作するユーザ機器により実行される測定に関する。
【０００２】
（関連出願との相互参照）
本出願は、２０１４年５月８日に出願された米国仮特許出願第６１／９９０６４７号の継続的出願である。
【背景技術】
【０００３】
進化型パケットコア（ＥＰＣ）は、先端的な移動体通信システムのコアネットワークである。ＥＰＣは、異なる無線アクセス技術（ＲＡＴ）が統合された形で動作することを可能にする。これらの無線アクセス技術は、第１世代無線ローカルエリアネットワーク（ＬＡＮ）、移動体通信用グローバルシステムすなわちＧＳＭ（登録商標）等の第２世代（２Ｇ）システム、ユニバーサル移動体通信システム（ＵＭＴＳ）等の第３世代（３Ｇ）システム、及びロングタームエボリューション（ＬＴＥ）等の第４世代（４Ｇ）システムを含む。ＬＴＥは、第３世代パートナーシッププロジェクトにより公布された仕様（以後「３ＧＰＰ仕様」）である。
【０００４】
無線移動通信技術は、様々な規格及びプロトコルを使用して、ノード（例えば、伝送局又はトランシーバノード）と無線デバイス（例えば、モバイルデバイス）との間でデータを伝送する。いくつかの無線デバイスは、下りリンク（ＤＬ）伝送においては、直交周波数分割多元接続（ＯＦＤＭＡ）を使用して通信し、上りリンク（ＵＬ）伝送においては、シングルキャリア周波数分割多元接続（ＳＣ−ＦＤＭＡ）を使用して通信する。信号伝送のために直交周波数分割多重化（ＯＦＤＭ）を使用する規格及びプロトコルは、ＬＴＥ（３ＧＰＰ）、業界団体にはＷｉＭＡＸ（登録商標）（全世界相互運用マイクロ波アクセス）として一般的に知られている米国電気電子技術者協会（ＩＥＥＥ）８０２．１６規格（例えば、８０２．１６ｅ、８０２．１６ｍ）、及び業界団体にはＷｉＦｉ（登録商標）として一般的に知られているＩＥＥＥ８０２．１１規格を含む。
【０００５】
３ＧＰＰ無線アクセスネットワーク（ＲＡＮ）ＬＴＥシステムにおいて、ノードは、進化型ユニバーサル地上無線アクセスネットワーク（Ｅ−ＵＴＲＡＮ）ノードＢ（進化型ノードＢ、エンハンストノードＢ、ｅＮｏｄｅＢ、又はｅＮＢとしても一般的に表記される）と無線ネットワークコントローラ（ＲＮＣ）との組合せとすることができる。ｅＮＢは、ユーザ機器（ＵＥ）として知られている無線デバイスと通信する。ＤＬ伝送は、ノード（例えば、ｅＮＢ）から無線デバイス（例えば、ＵＥ）への通信とすることができ、ＵＬ伝送は、無線デバイスからノードへの通信とすることができる。
【０００６】
マルチモードＵＥとして知られているセル電話機等のＵＥは、複数のＲＡＴをサポートすることができる。マルチモードＵＥにおいて、１つのＲＡＴだけが一度に動作可能である。１つのＲＡＴに「キャンプ」オンされていると呼ばれるマルチモードＵＥは、そのＲＡＴの技術だけを利用している。ＵＥは、１つのＲＡＴから別のＲＡＴに切り替えられ得る、したがって、ＵＥがキャンプオンされるＲＡＴが切り替えられ得る。したがって、マルチモードＵＥは、ＬＴＥにキャンプオンされ、４Ｇ  ＲＡＴから３Ｇ  ＲＡＴに切り替えられ得、以後、ＵＭＴＳにキャンプオンされている。
【０００７】
ＵＥは、キャリアアグリゲーション下で、２つの異なるＲＡＴで同時に通信することができる。したがって、ＵＥは、複数のキャリア周波数からの無線リソースを同時に利用することができる。
【０００８】
同種ネットワークにおいて、マクロノード又はマクロｅＮＢとも呼ばれるｅＮＢは、セル内の無線デバイスに、基本となる無線カバレッジを提供することができる。セルは、無線デバイスがマクロｅＮＢと通信するために動作可能である物理領域又は物理エリアであり得る。異種ネットワーク（ＨｅｔＮｅｔ）は、無線デバイスの使用及び機能性の増大に起因する、マクロノードに対する増大したトラフィック負荷を処理するために使用され得る。ＨｅｔＮｅｔは、計画された高電力のマクロｅＮＢのレイヤと、この層に重なる、より低い電力のノード（スモールｅＮＢ、マイクロｅＮＢ、ピコｅＮＢ、フェムトｅＮＢ、又はホームｅＮＢ（ＨｅＮＢ））のレイヤと、を含み得る。このより低い電力のノードのレイヤは、マクロノードのカバレッジエリア（セル）内で、それ程よく計画されていない形で、又はさらには全く調整されていない形で配置され得る。より低い電力のノード（ＬＰＮ）は、概して、「低電力ノード」、スモールノード、又はスモールセルと呼ばれ得る。
【０００９】
マクロノードは、基本となるカバレッジのために使用され得る。低電力ノードは、マクロノードのカバレッジエリア間の境界におけるカバレッジホールを埋め、マクロノードのカバレッジエリア間の境界又はホットゾーンにおけるキャパシティを向上させ、建造物が信号伝送を妨げる屋内のカバレッジを向上させるためにも使用され得る。セル間干渉調整（ＩＣＩＣ）又は拡張ＩＣＩＣ（ｅＩＣＩＣ）は、ＨｅｔＮｅｔにおけるマクロノード及び低電力ノード等のノード間の干渉を低減させるリソース調整のために使用され得る。
【００１０】
ＨｅｔＮｅｔは、下りリンク伝送又は上りリンク伝送のために時分割二重化（ＴＤＤ）又は周波数分割二重化（ＦＤＤ）を使用し得る。ＴＤＤは、下りリンク信号と上りリンク信号とを分離するための時分割多重化（ＴＤＭ）の応用である。ＴＤＤにおいて、ＤＬ信号及びＵＬ信号は、同じキャリア周波数上で伝達され得る。ここで、ＤＬ信号は、ＵＬ信号とは異なる時間間隔を使用する。これにより、ＤＬ信号及びＵＬ信号は、互いとの干渉を生じさせない。ＴＤＭは、ＤＬ信号又はＵＬ信号等の、２以上のビットストリーム又は信号が、１つの通信チャネルにおけるサブチャネルとして見かけ上同時に伝送されるが、物理的には、異なる時間リソース上で伝送されるタイプのデジタル多重化である。ＦＤＤにおいて、ＵＬ伝送及びＤＬ伝送は、異なる周波数キャリアを使用して動作し得る。ＦＤＤにおいて、ＤＬ信号は、ＵＬ信号とは異なる周波数キャリアを使用するので、干渉を回避することができる。
【００１１】
時分割二重化（ＴＤＤ）は、スペクトルリソースのペアを要することなく、柔軟なデプロイメントを提供する。ロングタームエボリューション（ＬＴＥ）ＴＤＤは、非対称の上りリンク−下りリンク（ＵＬ−ＤＬ）割り当てを可能にする。
【００１２】
ＵＥが無線近傍（wireless  neighborhood）において動作するとき、チャネル条件が変化する。これは、ＵＥによる移動、ＵＥの見通し線における建物及び車両の存在、並びに、例えば、近傍局からの干渉等といった他の条件に起因するものであり得る。チャネル状態情報（ＣＳＩ）は、チャネル条件についてのデータであり、無線通信中にＵＥによりｅＮＢに提供される。ＣＳＩは、チャネル品質情報（ＣＱＩ）、プリコーディング行列インジケーション、ランクインジケーション、及び、無線チャネルについての他の特性情報を含む。
【００１３】
３ＧＰＰ組織は、ＬＴＥ下の特定のタスクに特化している複数のワーキンググループを含む。無線アクセスネットワーク１（ＲＡＮ１）は、物理レイヤを規定する役割を担う。ＲＡＮ２は、物理レイヤの上の無線インタフェースプロトコルを扱う。ＲＡＮ３は、ＵＴＲＡＮ（ＥＵＴＲＡＮ）アーキテクチャ全体に関係する。ＲＡＮ４は、ＵＴＲＡＮ（ＥＵＴＲＡＮ）のＲＦコンフォーマンス面、並びに、ＲＦ送信及び受信性能に関する端末機器及び無線ネットワークのためのテスト仕様に特化している。ＲＡＮ５は、無線インタフェースコンフォーマンステスト仕様、ＲＡＮ４仕様に基づくテスト仕様、及び、ＲＡＮ２等の他のグループにより規定されるシグナリングプロシージャに関係する。
【００１４】
ＬＴＥ仕様の下、ＵＥは、ＵＥのサービングプライマリセル（ｐセル）及びＵＥのセカンダリセル（ｓセル）についての周波数（レイヤ、周波数レイヤ、キャリア、又は帯域としても知られている）をモニタリングする。ＵＥは、ｐセルによりサービスされている間、ｐセル周波数のままである。ｐセル周波数レイヤ及びｓセル周波数レイヤは、第１のレートでモニタリングされる。
【００１５】
さらに、ＵＥは、他のＲＡＴを含む他の周波数を、より低い第２のレートでモニタリングするので、異なる周波数帯域へのハンドオーバーが必要になる場合（ＲＡＴ間モニタリングの場合）、又は、ＵＳＴＭ（３Ｇ）若しくはＷｉＦｉ（登録商標）（２Ｇ）等の異なるＲＡＴへの切り替えが必要になる場合に、ＵＥは、それらの周波数レイヤの特性を認識する。
【００１６】
以前にはＬＴＥの下、ＵＥは、８以上の周波数レイヤをモニタリングすることが予期されていた。最近のＲＡＮ４変更（ＲＡＮ４，リリース１２）の下では、モニタリングされる、ＥＵＴＲＡＮにおける最小数の周波数レイヤは、８から１３に増加している。
【００１７】
したがって、ＲＡＲ４リリース１２の要件に対処するセル識別及び測定方法の必要性が存在する。
【図面の簡単な説明】
【００１８】
上記の態様及び本文書の付随する利点の多くは、添付の図面と併せて以下の詳細な説明を参照することによってより良く理解されるようになるので、より容易に理解されるようになるであろう。添付の図面において、同様の参照符号は、別途明示されない限り、様々な図面を通じて同様の部分を指す。
【図１】いくつかの実施形態に従った、優先順位付けされるセル識別及び測定（ＰＣＩＭ）方法の簡略化されたブロック図。
【図２】いくつかの実施形態に従った無線ネットワークの簡略化された図。
【図３】いくつかの実施形態に従った、図１のＰＣＩＭ方法を実施するための異種無線ネットワークの簡略化された図。
【図４】いくつかの実施形態に従った、図１のＰＣＩＭ方法により使用される測定間隔繰り返し期間の図。
【図５】いくつかの実施形態に従った、図１のＰＣＩＭ方法の第１の実施形態において実行される動作を示すフロー図。
【図６】いくつかの実施形態に従った、図１のＰＣＩＭ方法の第２の実施形態において実行される動作を示すフロー図。
【図７】いくつかの実施形態に従った、図１のＰＣＩＭ方法の第３の実施形態において実行される動作を示すフロー図。
【図８】いくつかの実施形態に従った、図１のＰＣＩＭ方法の第４の実施形態において実行される動作を示すフロー図。
【図９】いくつかの実施形態に従った、図１のＰＣＩＭ方法の第５の実施形態において実行される動作を示すフロー図。
【図１０Ａ】いくつかの実施形態に従った、図１のＰＣＩＭ方法を実施するエンハンストノードＢ及びユーザ機器を含む無線近傍の簡略化されたシステム図。
【図１０Ｂ】いくつかの実施形態に従った、図１のＰＣＩＭ方法を実施するエンハンストノードＢ及びユーザ機器を含む無線近傍の簡略化されたシステム図。
【発明を実施するための形態】
【００１９】
本明細書に記載の実施形態に従って、優先順位付けされるセル識別及び測定（ＰＣＩＭ：prioritized  cell  identification  and  measurement）方法が開示される。ＰＣＩＭ方法は、ユーザ機器によりモニタリングされ測定される周波数レイヤを、高性能グループ及び低性能グループに分類する。複数の異なる実施形態が説明される。適切である場合、対応するシグナリング設計も提案される。ユーザ機器は、これらの実施形態のうちの１つの実施形態又は複数の実施形態を採用することができ、動作条件に基づいて、準静的に構成を変更することができる。
【００２０】
以下の詳細な説明において、添付の図面が参照される。添付の図面は、本明細書に記載の主題を実施することができる特定の実施形態を、例として示している。しかしながら、本開示を読めば他の実施形態も当業者には明らかであろうことを理解されたい。したがって、以下の詳細な説明は、限定的に解釈されるべきではない。なぜならば、本主題の範囲は、請求項により定められるからである。
【００２１】
図１は、いくつかの実施形態に従った優先順位付けされるセル識別及び測定方法（ＰＣＩＭ）方法１００の概念図である。ＰＣＩＭ方法１００は、入力として以下の３つのパラメータを受ける：
【数１】
0006342520.tif 000002
として与えられる、モニタリングされる周波数レイヤの数、
【数２】
0006342520.tif 000003
として与えられる、測定間隔の数、及び、測定間隔繰り返し期間（ＭＧＲＰ：measurement  gap  repetition  period）。ＰＣＩＭ方法１００は、本明細書で説明する６つの可能な実施形態を含む。
【００２２】
図２は、１つのマクロｅＮＢ２０Ａ、ホームｅＮＢ２０Ｂ、及びピコｅＮＢ２０Ｃ（集合的に「ｅＮＢ２０」）からなる無線ネットワーク１５０の簡略化された図である。無線ネットワーク１５０はまた、１３個のＵＥ５０Ａ〜５０Ｐ（集合的に「ＵＥ５０」）を含み、これらの多くは、ｅＮＢ２０のうちの１つのｅＮＢへの接続（矢印により示される）を確立している。接続４０Ａ〜４０Ｌは、ＵＥ５０とそれらＵＥ５０のそれぞれのｅＮＢ２０との間の周波数レイヤであり、したがって、サービング周波数レイヤ（集合的に「サービング周波数レイヤ４０」）である。
【００２３】
マクロｅＮＢ２０Ａは、いくつかのＵＥ５０のためのサービング基地局（ｐセル）として機能することができる。図２において、マクロｅＮＢ２０Ａは、接続４０Ａ〜４０Ｅをそれぞれ有するＵＥ５０Ａ〜５０Ｅのためのｐセルである。ホームｅＮＢ２０Ｃは、接続４０Ｆ〜４０Ｈをそれぞれ有するＵＥ５０Ｆ〜５０Ｈのためのｐセルである。ピコｅＮＢ２０Ｃは、接続４０Ｊ〜４０Ｌをそれぞれ有するＵＥ５０Ｊ〜５０Ｌのためのｐセルである。
【００２４】
ホームｅＮＢ２０Ｂ又はピコｅＮＢ２０Ｃは、１以上のＵＥのためのセカンダリ基地局（ｓセル）としてさらに機能することができる。図２において、ＵＥ５０Ｃは、ｐセル接続４０Ｃを有するだけでなく、ピコｅＮＢ２０Ｃに対するｓセル接続７０Ａも有する。ＵＥ５０Ｅは、ｐセル接続４０Ｅを有するだけでなく、ホームｅＮＢ２０Ｂに対するｓセル接続７０Ｂも有する。（接続７０Ａ及び７０Ｂは、集合的に「セカンダリ周波数レイヤ７０」と呼ばれる。）
【００２５】
ＵＥ５０は、図２において、セルラ電話機として示されているが、ラップトップコンピュータ、タブレット、スマートフォン、又は他の無線デバイスであってもよい。ＵＥ５０とｅＮＢ２０との間の接続に加えて、いくつかのＵＥは、無線ネットワーク１５０においてデバイスツーデバイス通信を行うことができ、そのような通信は、ユニキャスト、ブロードキャスト、又はマルチホップ伝送（図示せず）の形態であり得る。
【００２６】
ＰＣＩＭ方法１００は、４Ｇ  ＬＴＥ無線近傍又は異種ネットワークにおけるＵＥが、周波数レイヤ（本明細書において周波数、帯域、接続、又はキャリアとも呼ばれる）の測定を実行することを可能にする実施形態を含む。「検出する」、「識別する」、「同期する」、「モニタリングする」、及び「測定する」等といった用語は、ＵＥが周波数レイヤについて行っていることを表すために、本明細書において使用される。「測定する」、「測定」、及び「測定している」という用語は、本明細書において使用されるとき、ＵＥが、実行される周波数レイヤの可能な測定に先行するであろう必要な検出、識別、同期、及びモニタリングを既に実行していることを暗示することが意図されている。これらの動作のいくつかの態様は、本明細書において省略されている。なぜならば、それらの態様は、本開示の範囲外であるからである。
【００２７】
周波数レイヤ４０及びセカンダリ周波数レイヤ７０は、ＵＥ５０により定期的にモニタリングされるが、ＰＣＩＭ方法１００の対象ではない。代わりに、ＰＣＩＭ方法１００は、周波数間レイヤ（inter-frequency  layer）及びＲＡＴ間周波数レイヤ（inter-RAT  frequency  layer）の両方を含む他の周波数レイヤの測定に関係する。周波数間レイヤは、ＵＥ５０が動作している現在のＲＡＴにおける様々な周波数レイヤである。例として、図２におけるＵＥ５０Ｃは、ｐセル帯域４０Ｃ及びｓセル帯域７０Ａをモニタリングすることに加えて、ＵＥ５０ＣとホームｅＮＢ２０Ｂとの間の周波数レイヤ（図示せず）を検出及び測定することができる。同様に、ＵＥ５０Ｅは、ｐセル帯域４０Ｅ及びｓセル帯域７０Ｂをモニタリングすることに加えて、ＵＥ５０ＥとピコｅＮＢ２０Ｃとの間の周波数レイヤ（図示せず）を検出及び測定することができる。
【００２８】
ＲＡＴ間測定は、現在のＲＡＴ外の測定である。したがって、例えば、ＵＥ５０が、４Ｇ  ＲＡＴにおいて動作しているとき、ＲＡＴ間測定は、無線ローカルエリアネットワーク（ＷＬＡＮ）として知られている２Ｇ（ＷｉＦｉ（登録商標））  ＲＡＴ又は３Ｇ  ＲＡＴ（例えば、ＵＭＴＳ）の測定であろう。
【００２９】
図３は、無線ネットワークでもあるＨｅｔＮｅｔ２００の簡略化された図である。１つのＵＥ５０Ｄが図示されている。ＨｅｔＮｅｔ２００は、物理的又は論理的に同一位置に配置されるＬＴＥセル、ＵＭＴＳセル、及びＷＬＡＮセルを含む。前と同様、マクロｅＮＢ２０Ａ、ホームｅＮＢ２０Ｂ、及びピコｅＮＢ２０Ｃという３つのＬＴＥ対応エンハンスト（４Ｇ）基地局が存在する。
【００３０】
セルは、所与の無線基地局のカバレッジエリアである。４Ｇネットワークにおいては、基地局は、エンハンストノードＢ（ｅＮＢ）であるのに対し、３Ｇネットワークにおいては、基地局は、セルラアクセスポイント又はノードＢ（ＮＢ）として知られている。ＷｉＦｉ（登録商標）の場合、基地局は、アクセスポイント（ＡＰ）として知られている。各基地局のセルカバレッジエリアは、楕円形状として大まかに図示されている。マクロｅＮＢ２０Ａは、セルエリア６０Ａを有する。同様に、ホームｅＮＢ２０Ｂは、セルエリア６０Ｂを有し、ピコｅＮＢ２０Ｃは、セルエリア６０Ｃを有する。
【００３１】
ＨｅｔＮｅｔ２００は異種ネットワークであるので、厳密には４Ｇ  ＬＴＥ  ＲＡＴの一部でないセルを有することが予期される。図３は、セル６０ＤをカバーするノードＢ（ＮＢ）２０Ｄと表記されている３Ｇ基地局と、ＷｉＦｉ（登録商標）セル６０Ｅを有するＷｉＦｉ（登録商標）基地局ＡＰ２０Ｅと、を示している。（これらのセルは、集合的に「セルエリア６０」又は「セル６０」と呼ばれる。）
【００３２】
ＵＥの観点からは、マクロｅＮＢ２０Ａは、ＵＥのプライマリ基地局であり、ホームｅＮＢ２０Ｂは、ＵＥのセカンダリ基地局である。したがって、プライマリ基地局及びセカンダリ基地局にそれぞれ関連付けられるｐセル周波数レイヤ及びｓセル周波数レイヤ４０Ａ、４０Ｂは、ＰＣＩＭ方法１００の対象ではない。
【００３３】
代わりに、図３は、対象となる３つの周波数レイヤを示している。第１に、周波数レイヤ９０Ａは、周波数間レイヤである。ｐセル周波数レイヤ４０及びｓセル周波数レイヤ７０と同様に、周波数レイヤ９０Ａは、ＬＴＥ  ４Ｇネットワークにおいて動作し、エンハンストノードＢ２０Ｃに接続する。一方、周波数レイヤ９０Ｂは、３Ｇネットワークにおいて動作し、（エンハンストノードＢではない）ノードＢ２０Ｄに接続するので、ＲＡＴ間周波数レイヤである。周波数レイヤ９０Ｃも、ＷｉＦｉ（登録商標）ネットワークにおいて動作し、ＡＰ２０Ｅに接続するので、ＲＡＴ間周波数レイヤである。周波数レイヤ９０Ｄは、ホームｅＮＢ２０ＢとＵＥ５０Ｈとの間の帯域であり、したがって、（ＵＥ５０Ｄの観点からの特徴付けを伴う）ＲＡＴ間周波数レイヤである。周波数レイヤ９０Ｅは、ＵＥ５０ＤとＵＥ５０Ｈとの間のデバイスツーデバイス接続である。したがって、ＵＥ５０Ｄに直接影響を及ぼす周波数レイヤ（９０Ａ、９０Ｂ、９０Ｃ、及び９０Ｅ）及びＵＥ５０Ｄと関係がない周波数レイヤ（９０Ｄ）の双方が、本明細書で検討されている測定可能な周波数レイヤ（集合的に「測定される周波数レイヤ９０」又は単に「周波数レイヤ９０」）の一部である。いくつかの実施形態において、測定可能な周波数レイヤは、基地局（ＮＢ、ｅＮＢ、又はＡＰ）とＵＥとの間の周波数レイヤに限定される。他の実施形態において、測定可能な周波数レイヤは、周波数レイヤ９０Ｅ等のデバイスツーデバイス帯域を含む。
【００３４】
周波数レイヤ検出（同期）及び測定に関与しているとき、ＵＥ５０Ｄは、「セル識別」を実行していると呼ばれ得る。したがって、セル識別は、ＵＥにより実行される周波数レイヤ測定を説明するための別のやり方に過ぎない。したがって、本明細書に記載の方法は、優先順位付けされるセル識別及び測定（ＰＣＩＭ）として知られる。
【００３５】
ＰＣＩＭ方法１００を説明する際、図２又は図３に示されるＵＥのうちのいずれか１つのＵＥとすることができるＵＥ５０が参照される。以下の説明において参照されるｅＮＢ２０は、任意のタイプのＬＴＥ対応基地局とすることができる。測定される周波数レイヤは、ｓセル４０又はｐセル７０の周波数レイヤではなく、図３に示されるような周波数レイヤ９０である。
【００３６】
ＲＡＮ４，リリース１２の要件（本明細書において「新たなＲＡＮ４」と呼ばれる）に基づくと、ＵＥ５０によりなされる測定及びレポーティングの両方の遅延は、サービング周波数レイヤ（例えば、図３におけるｐセル４０及びｓセル７０の周波数レイヤ）を除く、モニタリングされる周波数レイヤ９０の数に比例する。したがって、モニタリングされる周波数レイヤ９０の最小数が増加すると、遅延の増大が予想される。モニタリングされる周波数レイヤ９０の数の増加に起因する固有の遅延は、特にＵＥ５０の移動性が高いときに問題となり得る。
【００３７】
スループット及び電力消費の観点からは、モニタリングされる周波数レイヤの数の増加は、新たなＲＡＮ４プロシージャの下では、より高い電力消費及び／又はスループットロス（例えば、非ＤＲＸモードにおいて）を不必要にもたらす。ＤＲＸモード（不連続受信モードの短縮形）は、ＵＥの省電力機能であり、ＤＲＸモードにおいて、ＵＥは、アイドルである間、ＵＥにおけるバッテリ電力のロスを軽減するために、デフォルトのレート（１ｍｓごと）ではなく、代わりに低減されたレート（例えば、６０ｍｓごと）で、ページングメッセージ（着呼、システム情報変化等）をリスンする。結果として、モニタリングされる周波数レイヤの数の増加に付随する課題は、遅延、測定精度、及び、測定間隔繰り返し期間（ＭＧＲＰ）当たりの測定間隔長（ＭＧＬ：measurement  gap  length）をどのようにリバランスする（re-balance）か、を含む。
【００３８】
図４は、仮想の無線送信３０の一部を示す簡略化された図である。６ミリ秒（ｍｓ）である測定間隔長（ＭＧＬ）の後にデータ送信が続き、その後に別の６ｍｓであるＭＧＬが続くこと等が図示されている。図４の送信３０は、４０ｍｓであるＭＧＲＰを有する。他の送信は、８０ｍｓであるＭＧＲＰを有することができる。ＭＧＲＰは、ＵＥ５０により実行される測定の周期（密集度（density））である。
【００３９】
新たなＲＡＮ４において、増加した周波数レイヤモニタリングの性能要件が、通常性能グループ及び低性能グループとそれぞれ表記される２つの性能グループに分けられることが同意されている。異なる性能要件は、通常性能グループ周波数レイヤ及び低性能グループ周波数レイヤについて、新たなＲＡＮ４により規定される。
【００４０】
いくつかの実施形態において、ＰＣＩＭ方法１００は、次の２つの基準を満たす：ＵＥ５０が、レガシーＵＥよりも多くの周波数レイヤ９０を測定することから生じる全体的な測定遅延を最小化すること；及び、レガシーＵＥに対する、ＵＥ５０による後方互換性能を達成すること。本明細書において使用されるとき、レガシーＵＥは、８つまでの周波数レイヤを識別及び測定するＬＴＥ  ＵＥであるの対し、ＵＥ５０は、１３個までの周波数レイヤ９０（ｐセル帯域４０と存在する場合にはｓセル帯域７０とを含む）を識別及び測定する。したがって、本明細書に記載のＵＥ５０は、新たなＲＡＮ４の要件を満たす。
【００４１】
【数３】
0006342520.tif 000004
により与えられる、ＵＥ５０によりモニタリングされる周波数レイヤ９０の最小数が、８（レガシーＵＥ）から１３（新たなＲＡＮ４の要件）に増加している。したがって、新たなＲＡＮ４について、
【数４】
0006342520.tif 000005
である。
【数５】
0006342520.tif 000006
と表記される第１の通常性能グループは、ＵＥ５０によりモニタリングされる、第１の数
【数６】
0006342520.tif 000007
（通常性能グループサイズとしても知られる）の周波数レイヤからなる。
【数７】
0006342520.tif 000008
と表記される第２の低性能グループは、ＵＥによりモニタリングされる、第２の数
【数８】
0006342520.tif 000009
（低性能グループサイズ）の周波数レイヤ９０からなる。
【００４２】
一般性を損なうことなく、高性能グループ及び低性能グループのそれぞれについて
【数９】
0006342520.tif 000010
及び
【数１０】
0006342520.tif 000011
により与えられる、周波数間測定についての最大セル識別遅延は、以下として与えられる：
【数１１】
0006342520.tif 000012
【数１２】
0006342520.tif 000013
ここで、
【数１３】
0006342520.tif 000014
であり、
【数１４】
0006342520.tif 000015
である。
【００４３】
式１ａ及び式１ｂ（集合的に「式１」）は、第１の通常性能グループ
【数１５】
0006342520.tif 000016
及び第２の低性能グループ
【数１６】
0006342520.tif 000017
それぞれについて周波数レイヤ９０を測定するためにＵＥ５０に利用可能な最小の要件（最大時間）を表している。
【数１７】
0006342520.tif 000018
は、レガシーＵＥに利用可能な最大セル識別遅延である。
【数１８】
0006342520.tif 000019
及び
【数１９】
0006342520.tif 000020
はそれぞれ、高性能グループ及び低性能グループについての測定間隔の数である。言い換えると、
【数２０】
0006342520.tif 000021
及び
【数２１】
0006342520.tif 000022
は、４８０ｍｓ当たりの測定機会（measurement  opportunity）の回数（実行される測定の密集度）である。（
【数２２】
0006342520.tif 000023
及び
【数２３】
0006342520.tif 000024
はそれぞれ、高性能グループ及び低性能グループについてのリソース割り当てとしても、本明細書において知られる。）上記の図４は、ＬＴＥ送信についてのＭＧＲＰ及びＭＧＬを示している。
【００４４】
概して、
【数２４】
0006342520.tif 000025
及び
【数２５】
0006342520.tif 000026
はそれぞれ、４８０ｍｓ当たりの、高性能グループ及び低性能グループに割り当てられる測定間隔の数を表している。また、
【数２６】
0006342520.tif 000027
及び
【数２７】
0006342520.tif 000028
はそれぞれ、ＵＥ５０により周期的にモニタリングされる、マクロｅＮＢ２０Ａ等のｐセル帯域４０とピコｅＮＢ２０Ｃ等のｓセル帯域７０（図２）とを除く、高性能グループ及び低性能グループにおけるモニタリングされる周波数９０の数を表している。
【００４５】
式１から、測定間隔の数
【数２８】
0006342520.tif 000029
（
【数２９】
0006342520.tif 000030
）及び最大セル識別遅延
【数３０】
0006342520.tif 000031
（
【数３１】
0006342520.tif 000032
）の両方が、サービングｅＮＢ（ｐセル及びｓセル）の周波数レイヤを除く、モニタリングされる周波数レイヤ９０の数
【数３２】
0006342520.tif 000033
（
【数３３】
0006342520.tif 000034
）に比例することが示される。したがって、モニタリングされる周波数レイヤ９０の最小数
【数３４】
0006342520.tif 000035
が増加すると、遅延の増大が予想される。
【００４６】
ＬＴＥ仕様において、ＵＥ５０は、典型的には、２つの異なる測定機会を有する。第１に、４８０ｍｓ当たり１２個の測定間隔が存在する。したがって、４０ｍｓごとに、１つの測定間隔が存在し、したがって、１回の測定機会（４８０ｍｓ／１２＝４０ｍｓ）が存在する。第２に、４８０ｍｓ当たり６つの測定間隔が存在する。したがって、８０ｍｓごとに、１つの測定間隔／１回の測定機会（４８０ｍｓ／６＝８０ｍｓ）が存在する。したがって、
【数３５】
0006342520.tif 000036
及び
【数３６】
0006342520.tif 000037
はそれぞれ、高性能グループ及び低性能グループについての測定密集度とみなされ得る。図４に示されるＭＧＲＰは、ＵＥ５０により実行される測定の周期である。
【００４７】
ＵＥ５０により実行される周波数レイヤの測定は、図３に示されるように、ＵＥ５０と無線ＨｅｔＮｅｔ２００における他のエンティティとの間でのものである。各測定は、周波数レイヤ９０の何らかの特性を算出する。概して、この特性は、信号対干渉及び雑音比（ＳＩＮＲ：signal  to  interference  plus  noise  ratio）である。ＬＴＥ環境において、ＳＩＮＲは、信号強度とみなすことができる基準信号受信電力（ＲＳＲＰ）と実質的に周波数レイヤ９０の干渉である基準信号受信品質（ＲＳＲＱ）との両方を測定することにより、実効的に得られる。
【００４８】
ＲＳＲＰ測定及びＲＳＲＰ測定に関して、物理レイヤ測定期間
【数３７】
0006342520.tif 000038
及び
【数３８】
0006342520.tif 000039
がそれぞれ、高性能グループ及び低性能グループについて、以下として定義される：
【数３９】
0006342520.tif 000040
【数４０】
0006342520.tif 000041
ここで、
【数４１】
0006342520.tif 000042
は、測定帯域幅を表し、
【数４２】
0006342520.tif 000043
は、リソースブロックである。ＬＴＥにおける最小変調構造は、１シンボル幅を有する１つの１５ｋＨｚサブキャリアとして規定されるリソース要素（ＲＥ）である。リソースブロックは、１２個のサブキャリアと６つ（又は７つ）のシンボルとの乗算からなる。
【００４９】
前提
モニタリングされる各周波数レイヤ９０について、ＵＥ５０は、最初に識別を実行し、次いで測定を実行する。識別は、同期としても知られており、同期において、ＵＥ５０は、周波数レイヤ９０についての同期シンボルを検出する。ＬＴＥにおいて、同期シンボルは、プライマリ同期シンボル（ＰＳＳ）又はセカンダリ同期シンボル（ＳＳＳ）として与えられる。同期が生じた後にのみ、ＵＥ５０は、周波数レイヤ９０の測定を実行することができる。
【００５０】
いくつかの実施形態において、ＰＣＩＭ方法１００は、通常性能グループにおける測定される周波数レイヤ９０が、低性能グループにおける周波数レイヤよりも狭い要件を受けることを確実にする。上記で示したように、
【数４３】
0006342520.tif 000044
及び
【数４４】
0006342520.tif 000045
は、ＵＥ５０がセルを識別することが可能な時間期間である。したがって、より短い時間期間が優先される（preferred）。いくつかの実施形態において、第１の前提は、以下の式により与えられる：
【数４５】
0006342520.tif 000046
式５は、低性能グループ
【数４６】
0006342520.tif 000047
においてよりも、
【数４７】
0006342520.tif 000048
においての方が、ＵＥ５０が速く周波数レイヤ９０を識別するための優先度（preference）を示している。
【００５１】
また、
【数４８】
0006342520.tif 000049
及び
【数４９】
0006342520.tif 000050
が、識別された周波数レイヤ９０の特性（ＲＳＲＰ及びＲＳＲＱ）をＵＥ５０が測定する時間期間であることを思い出してほしい。ここでも、より短い時間が優先される。したがって、いくつかの実施形態において、第２の前提は、以下の式により与えられる：
【数５０】
0006342520.tif 000051
【００５２】
等価関数
いくつかの実施形態において、上記の式１〜式３を使用して、等価関数（equivalent  function）が以下として与えられる：
【数５１】
0006342520.tif 000052
式７ａは以下として表現することができる：
【数５２】
0006342520.tif 000053
【００５３】
式２及び式３と、式５、式６、及び式７において与えられる前提と、を使用して、ＰＣＩＭ方法１００の以下の実施形態が説明される。さらに、本明細書に記載のネットワークは、図３のＨｅｔＮｅｔネットワーク２００等の異種ネットワークであると想定されている。しかしながら、ＬＴＥ仕様の下で動作する同種ネットワーク（マクロｅＮＢのみからなる）も、ＰＣＩＭ方法１００を利用することができる。
【００５４】
実施形態１
ＰＣＩＭ方法１００は、オペレータ及び／又はネットワークベンダ（例えば、ＡＴ＆Ｔ（登録商標）、Ｅｒｉｃｓｓｏｎ（登録商標）、又はＨｕａｗａｉ（登録商標））が、
【数５３】
0006342520.tif 000054
により与えられる、モニタリングされる周波数レイヤ９０の数を規定する場合に使用することができる第１の実施形態を含む。いくつかの実施形態において、サービングｅＮＢ２０が、
【数５４】
0006342520.tif 000055
により与えられる、通常性能グループにおける周波数レイヤ９０の数を規定する。通常性能グループが認識されると、低性能グループも認識される。なぜならば、
【数５５】
0006342520.tif 000056
であるからである。
【００５５】
いくつかの実施形態において、通常性能グループ及び低性能グループが規定されると、通常性能グループのサイズ
【数５６】
0006342520.tif 000057
及び割り当てられたリソース
【数５７】
0006342520.tif 000058
は、上記の式７において与えられる制約を満たす。通常性能グループにおける周波数レイヤ９０の数
【数５８】
0006342520.tif 000059
が、通常性能グループにおける測定間隔の数
【数５９】
0006342520.tif 000060
で除算され、その結果は、周波数レイヤの総数とＭＧＲＰ／４８０との乗算値以下である。したがって、式７は、通常性能グループのサイズ
【数６０】
0006342520.tif 000061
に上限を課す。
【００５６】
ＰＣＩＭ方法１００の実施形態１が、図５のフロー図に示されている。ネットワークオペレータは、ＵＥにより測定される周波数レイヤ９０の数を規定する（ブロック３０２）。サービングｅＮＢ２０は、通常性能グループにおける周波数レイヤ９０の数を規定する（ブロック３０４）。式３を使用して、低性能グループにおける周波数レイヤ９０の数を導出する（ブロック３０６）。ＵＥ５０により実行される測定の周期ＭＧＲＰが、４０ｍｓ又は８０ｍｓのいずれかとして選択される（ブロック３０８）。この選択は、ＵＥ５０、ｐセルｅＮＢ２０Ａ、又は別のネットワークエンティティにより行われる。
【００５７】
これらの値が確定されると、式７を使用して、通常性能グループについて実行される測定の密集度を導出する（ブロック３１０）。最後に、式２を使用して、低性能グループについての測定の密集度を導出する（ブロック３１２）。ＰＣＩＭ方法１００の実施形態１により実行される動作が終了する。
【００５８】
したがって、ＰＣＩＭ方法１００は、ｅＮＢ２０が、式７（並びに式２及び式３からの支援）に基づいて、通常性能グループのサイズを決定することを可能にするための設計基準を提供する。
【００５９】
実施形態２
第２の実施形態において、全体的な測定遅延を最小化するために、ＰＣＩＭ方法１００は、モニタリングされる全ての周波数レイヤ９０を、１つのグループに割り当てる。ここでは、全てのリソースが、同じグループに割り当てられる。いくつかの実施形態において、この割り当ては、ｅＮＢにより行われる。他の実施形態において、この割り当ては、ＵＥにより行われる。これは、ＵＥ５０が、例えば、１つの周波数レイヤを別の周波数レイヤよりも高く優先順位付けすることを可能にする。
【００６０】
一般に、通常性能グループ及び低性能グループがどのように規定されるかにかかわらず、対象となる周波数間測定及びＲＡＴ間測定の各々について全体的な測定遅延を低減させることが望ましい。ＵＥ５０による適時の測定及びレポーティングは、ネットワーク動作を円滑にするだけでなく、例えば、接続ロスといった無線リンク障害（ＲＬＦ）の確率を低減させる。これは、サービングセルカバレッジが弱いときに特にそうである。
【００６１】
高性能グループ及び低性能グループそれぞれについての最大セル識別遅延は、
【数６１】
0006342520.tif 000062
及び
【数６２】
0006342520.tif 000063
と表記され、ＵＥ５０がセル（周波数レイヤ９０）を識別することが可能な時間期間である。数学的に、グループ
【数６３】
0006342520.tif 000064
及びグループ
【数６４】
0006342520.tif 000065
についての平均である全体的な測定遅延
【数６５】
0006342520.tif 000066
は、以下として定量化することができる：
【数６６】
0006342520.tif 000067
【００６２】
また、
【数６７】
0006342520.tif 000068
及び
【数６８】
0006342520.tif 000069
とそれぞれ表記される、高性能グループ及び低性能グループについての物理レイヤ測定期間は、ＵＥ５０が、識別された周波数レイヤ９０の特性（ＲＳＲＰ及びＲＳＲＱ）を測定する時間期間であることを思い出してほしい。数学的に、グループ
【数６９】
0006342520.tif 000070
及びグループ
【数７０】
0006342520.tif 000071
についての平均である全体的な物理レイヤ測定期間
【数７１】
0006342520.tif 000072
は、以下として定量化することができる：
【数７２】
0006342520.tif 000073
【００６３】
テーブル１は、複数の異なる通常性能グループサイズ
【数７３】
0006342520.tif 000074
と、通常性能グループのサイズが測定遅延の観点でどのように差をもたらすかと、の結果を示している。したがって、８、９、１０、１１、及び１２である総数
【数７４】
0006342520.tif 000075
の周波数レイヤが、４０ｍｓであるＭＧＲＰサイズと８０ｍｓであるＭＧＲＰサイズとを交互に代えて測定されることを想定している。テーブル１は、全てのキャリアが通常性能キャリアであるときのシナリオと、キャリアが通常性能グループ又は低性能グループのいずれか一方にランダムに割り当てられるときのシナリオと、の間の相対的な測定遅延節減を示している。
【００６４】
【表１】
0006342520.tif 000076
【００６５】
テーブル１の最後の行は、式７が想定される場合に、モニタリングされる周波数
【数７５】
0006342520.tif 000077
及び測定間隔
【数７６】
0006342520.tif 000078
がランダムに選択された場合と比較した、節減された測定遅延を示している。より低いパーセンテージの数字が望ましい。テーブル１は、ＭＧＲＰが４０ｍｓである場合、最低パーセンテージが７１％であり（
【数７７】
0006342520.tif 000079
であるとき）、ＭＧＲＰが８０ｍｓである場合、最低パーセンテージが５０％である（これも
【数７８】
0006342520.tif 000080
であるとき）ことを示している。したがって、いくつかの実施形態において、測定遅延は、全ての周波数レイヤ９０が１つのグループ（例えば、通常性能グループ）に割り当てられ、全てのリソースがこのグループに割り当てられるときに、最小化される。
【００６６】
ＰＣＩＭ方法１００の実施形態２が、図６のフロー図に示されている。測定される全ての周波数レイヤは、通常性能グループの一部である（ブロック４０２）。これは、ＵＥ５０又はｅＮＢ２０によりなされ得る。低性能グループは空である（ブロック４０４）。ＵＥ５０により実行される測定の周期ＭＧＲＰは、４０ｍｓ又は８０ｍｓのいずれかとしてＵＥにより選択される（ブロック４０６）。式７を使用して、通常性能グループについて実行される測定の密集度を導出する（ブロック４０８）。ＰＣＩＭ方法１００の実施形態２により実行される動作が終了する。
【００６７】
実施形態３
ＰＣＩＭ方法１００はまた、ＵＥ５０の後方互換性能を考慮する。実施形態３は、通常性能グループ
【数７９】
0006342520.tif 000081
が、少なくとも、測定遅延の点でレガシーシステム性能を達成することを可能にする。レガシーＵＥは、ＵＥ５０がモニタリングする周波数レイヤ（例えば、
【数８０】
0006342520.tif 000082
）よりも少ない周波数レイヤ（例えば、
【数８１】
0006342520.tif 000083
）を有するので、測定遅延は、レガシーＵＥについてより低くなる可能性が高い。
【００６８】
後方互換性能を達成するために、以下の２つの選択のうちの１つが、実施形態３において利用可能である：
・モード１：通常性能グループ
【数８２】
0006342520.tif 000084
は、ＭＧＲＰ＝４０ｍｓであるとき、４８０ｍｓ内に割り当てられる７つの測定間隔を伴う４つの周波数からなる。
・モード２：通常性能グループ
【数８３】
0006342520.tif 000085
は、ＭＧＲＰ＝８０ｍｓであるとき、４８０ｍｓ内に割り当てられる４つの測定間隔を伴う５つの周波数からなる。
【００６９】
これらの数が式７に挿入され、モード１については、４／７≦１が得られ、モード２については、５／４≦２が得られる。両方の式は真である。したがって、実施形態３におけるモード１及びモード２の両方は、式７を満たす。
【００７０】
コア及び性能後方互換性は、ＵＥ５０の実装及びネットワーク動作の両方の観点で重要である。既存の周波数間／ＲＡＴ間測定遅延要件は、ＲＡＮ４リリース８以降に策定されている。これらのロバスト性及び持続可能性は、当分野において良いものと認められている。したがって、いくつかの実施形態において、モニタリングされる周波数の数が著しく増加したときであっても、モニタリングされる周波数９０、例えば、通常性能キャリア９０のうちの一部（必ずしも全てではない）が、レガシーＵＥ性能と比較して、既存の最小性能要件を達成できることを確実にすることが望ましい。例えば、ＵＥ５０が高速で移動しているとき（列車又は他の車両内で動作しているとき等）及び／又はサービングセルカバレッジが貧弱であるとき、上記２つの選択のうちの１つが好ましいものであり得る。これに対応して、いくつかの実施形態において、以下の式は、通常性能キャリアがレガシー性能要件を達成できることをどのように確実にするかを示している：
【数８４】
0006342520.tif 000086
【００７１】
ＭＧＲＰ＝４０ｍｓであるとき、以下のペア（
【数８５】
0006342520.tif 000087
，
【数８６】
0006342520.tif 000088
）は、既存の最小要件をおおよそ達成することができる。
【００７２】
【表２】
0006342520.tif 000089
【００７３】
テーブル２におけるエントリのうちの１つ（
【数８７】
0006342520.tif 000090
，
【数８８】
0006342520.tif 000091
）は、モード１である。
【００７４】
同様に、ＭＧＲＰ＝８０ｍｓであるとき、以下のペア（
【数８９】
0006342520.tif 000092
，
【数９０】
0006342520.tif 000093
）は、既存の最小要件をおおよそ達成することができる。
【００７５】
【表３】
0006342520.tif 000094
【００７６】
テーブル３におけるエントリのうちの１つ（
【数９１】
0006342520.tif 000095
，
【数９２】
0006342520.tif 000096
）は、モード２である。
【００７７】
通常性能グループ性能に加えて、ＵＥ５０が、通常性能グループにおけるより多くの周波数９０を迅速に測定及レポートできるように、通常性能グループサイズを最大化することも望ましい。一方で、全体的な測定遅延を維持することも重要である。結果として、いくつかの実施形態において、対応するグループ及びリソース割り当てが推奨される。
【００７８】
【表４】
0006342520.tif 000097
テーブル４は、テーブル２及びテーブル３に基づく。測定される周波数レイヤ９０の数
【数９３】
0006342520.tif 000098
は、８〜１２の間である（最初の列）。相対的な測定遅延
【数９４】
0006342520.tif 000099
が、通常性能グループにおける４つの周波数レイヤ９０、７つの測定間隔、及び４０ｍｓであるＭＧＲＰの最初の後方互換性選択について得られ、結果は、５番目の列に示される最初の５つの値である。同様に、相対的な測定遅延が、通常性能グループにおける５つの周波数レイヤ９０、４つの測定間隔、及び８０ｍｓであるＭＧＲＰの２番目の後方互換性選択について得られ、結果は、５番目の列に示される２番目の５つの値である。６番目の列は、通常性能グループと、
【数９５】
0006342520.tif 000100
により与えられるレガシーセル識別遅延と、の間の相対的な測定遅延を含む。
【００７９】
ＰＣＩＭ方法１００の実施形態３が、図７のフロー図に示されている。モード１とモード２との間の選択が行われる（ブロック５０２）。モード１が選択された場合、通常性能グループにおける周波数レイヤ９０の数は４であり（ブロック５０４）、通常性能グループにおける測定間隔の数は、４８０ｍｓ当たり７であり（ブロック５０６）、ＭＧＲＰは４０ｍｓである（ブロック５０８）。したがって、ＵＥ５０は、後方互換性を達成するために、周波数レイヤ測定を実行することを可能にするための関連情報を有する。
【００８０】
モード２が選択された場合、通常性能グループにおける周波数レイヤ９０の数は５であり（ブロック５１０）、通常性能グループにおける測定間隔の数は、４８０ｍｓ当たり４であり（ブロック５１２）、ＭＧＲＰは８０ｍｓである（ブロック５１４）。したがって、ＵＥ５０は、後方互換性を達成するために、周波数レイヤ測定を実行することを可能にするための関連情報を有する。この実施形態において２つの利用可能なモードを有することにより、ＵＥ５０のシステム設計を大いに単純化することができる。
【００８１】
実施形態４
理論上、ＵＥによりモニタリングされる周波数レイヤの数の増大に対処することにおいて、ｅＮＢ２０は、通常性能グループ
【数９６】
0006342520.tif 000101
のサイズ（
【数９７】
0006342520.tif 000102
）、ＭＧＲＰ、並びに、グループ
【数９８】
0006342520.tif 000103
及び
【数９９】
0006342520.tif 000104
の各々についての測定間隔の数
【数１００】
0006342520.tif 000105
及び
【数１０１】
0006342520.tif 000106
等の多様なインストラクションをＵＥ５０に提供することができる。この多様性を理由として、実施形態４において、ＰＣＩＭ方法１００は、信号又はビットにより識別可能な、３つのモードのうちの１つのモードを提案する。ここで、各モードは、グループサイズとリソース割り当てとの組合せを指定するものである。
【００８２】
ＵＥ５０の実装の観点から、グループサイズ（
【数１０２】
0006342520.tif 000107
）及びそのリソース割り当て（
【数１０３】
0006342520.tif 000108
）のバリエーションを制限することが望ましい。グループサイズとリソース割り当てとの異なる組合せについて、例えば、測定を実行するために、異なるアルゴリズムが使用され得る。したがって、より少ないリソースを有する制限されたＵＥ５０は、たった２つの可能なモードのうちの１つのモードを示す信号から恩恵を受けることができる。
【００８３】
テーブル５は、全ての周波数レイヤが通常性能グループに割り当てられ、４８０ｍｓ当たりの、通常性能グループについての測定間隔の数
【数１０４】
0006342520.tif 000109
が４８０／ＭＧＲＰである第１のモード（モード３）を示している。したがって、ＭＧＲＰが４０ｍｓである場合、
【数１０５】
0006342520.tif 000110
は１２であり、ＭＧＲＰが８０ｍｓである場合、
【数１０６】
0006342520.tif 000111
は６である。低性能グループ
【数１０７】
0006342520.tif 000112
は、周波数レイヤを有さない。信号又はビットは、モード３が選択されたことをＵＥ５０に示す。
【００８４】
【表５】
0006342520.tif 000113
【００８５】
テーブル６は、モード４及びモード５として示される第２のモード及び第３のモードを示している。モード４において、ＭＧＲＰは４０ｍｓである。モード４において、通常性能グループのグループサイズ
【数１０８】
0006342520.tif 000114
は４であり、したがって、低性能グループのグループサイズは、これから導出される。通常性能グループのリソース割り当て（測定間隔の数）
【数１０９】
0006342520.tif 000115
は７であり、低性能グループについては、リソース割り当て
【数１１０】
0006342520.tif 000116
は５である。モード５において、通常性能グループのグループサイズ
【数１１１】
0006342520.tif 000117
は５であり、したがって、低性能グループのグループサイズは、これから導出される。通常性能グループのリソース割り当て
【数１１２】
0006342520.tif 000118
は４であり、低性能グループについては、リソース割り当て
【数１１３】
0006342520.tif 000119
は２である。モード４及びモード５において、通常性能グループサイズは、固定されるのに対し、周波数レイヤの総数は可変のままである。
【００８６】
【表６】
0006342520.tif 000120
【００８７】
いくつかの実施形態において、モード４及びモード５は、どれだけの数の周波数レイヤがモニタリングされるかにかかわらず、通常性能グループのサイズを固定するよう設計される。ＵＥ５０は、モード選択が行われるときに参照するテーブル６を有する。信号が受信されたとき（又は、予め定められたビットがセットされているとき）、ＵＥ５０は、モード３（テーブル５）に従って動作することを認識する。信号が受信されないとき（又は、ビットがクリアされているとき）、ＵＥ５０は、テーブル６を参照し、モード４又はモード５のいずれかに従って動作する。
【００８８】
ＰＣＩＭ方法１００の実施形態４が、図８のフロー図に示されている。信号が受信されたこと又はビットがセットされていることは、モード３を示すのに対し、信号が受信されないこと又はビットがクリアされていることは、モード４又はモード５を示す（ブロック６０２）。モード３が示された場合、全ての周波数レイヤが通常性能グループに割り当てられ（ブロック６０４）、リソース割り当てが４８０／ＭＧＲＰに設定され（ブロック６０６）、これは、ＵＥ５０が、使用すべきＭＧＲＰ（例えば、４０ｍｓ又は８０ｍｓ）を決定する（ブロック６０８）ことを可能にする。
【００８９】
信号が受信されない場合又はビットがクリアされている場合、モード４又はモード５が示される。ＵＥ５０が、ＭＧＲＰ＝４０ｍｓを使用することを決定した場合、これはモード４を示す（ブロック６１０）。テーブル６から、通常性能グループにおける周波数の数は４であり（ブロック６１２）、通常性能グループのリソース割り当ては７である（ブロック６１４）。ＵＥ５０が、８０ｍｓであるＭＧＲＰを使用することを決定した場合、これはモード５を示す。テーブル６から、通常性能グループにおける周波数の数は５であり（ブロック６１６）、通常性能グループのリソース割り当ては４である（ブロック６１８）。この実施形態において３つの利用可能なモードを有することにより、ＵＥ５０のシステム設計を大いに単純化することができる。
【００９０】
実施形態５
ＵＥ５０が、ネットワークから、測定する周波数レイヤのリストを受信することを思い出してほしい。例えば、ネットワークは、１０個の周波数レイヤである帯域１〜帯域１０のリストを、ＵＥ５０に送信することができるが、これらの帯域は、優先順位の順番で、例えば、帯域７、帯域３、帯域４、帯域８、帯域２、帯域１、帯域１０、帯域９、帯域５、及び帯域６の順番で、送信され得る。いくつかの実施形態において、
【数１１４】
0006342520.tif 000121
により与えられる、そのリストに対するインデックスが送信され、このインデックスは、どの周波数レイヤが通常性能グループに含まれるかと、残りのエントリが低性能グループに属することと、をＵＥ５０に暗示的に通知する。
【００９１】
例えば、インデックスが、リスト内の３番目のエントリ上に存在する場合、ＵＥ５０は、帯域７、帯域３、及び帯域４が、通常性能グループに含まれるのに対し、帯域８、帯域２、帯域１、帯域１０、帯域９、帯域５、及び帯域６が低性能グループに含まれることを、自動的に認識する。
【００９２】
さらに、いくつかの実施形態において、１ビット信号が、グループサイズ
【数１１５】
0006342520.tif 000122
とリソース割り当て
【数１１６】
0006342520.tif 000123
との組合せを、ＵＥ５０に示す。第１のモードであるモード６において、通常性能グループ
【数１１７】
0006342520.tif 000124
である１つのグループのみが存在する。そうでなければ、モード７又はモード８のいずれかが適用され、これらのモードにおいては、通常性能グループのグループサイズ
【数１１８】
0006342520.tif 000125
及びリソース割り当て
【数１１９】
0006342520.tif 000126
が固定される。モード７及びモード８の両方について、テーブル６が、ＭＧＲＰに基づくグループサイズ及びリソース割り当ての値を提供する。
【００９３】
まとめると、実施形態５は以下のことを提供する：
・１つの測定リストがＵＥに提供される：
・明示的な通常性能グループ及び低性能グループはＵＥに別個に提供されない。
・測定リスト内の周波数が、高いものから順に優先順位付けされる。
・グループサイズとリソース割り当てとの組合せのモードをＵＥ５０に示す１ビットシグナリングが導入される：
・モード６において：１つのグループ（すなわち、通常性能グループ）のみが存在する。
・モード７及びモード８において：通常性能グループのサイズ及びリソース割り当てが固定される。正確な値は、テーブル６において与えられるＭＧＲＰに依拠する。
【００９４】
ＰＣＩＭ方法１００の実施形態５が、図９のフロー図に示されている。測定される周波数レイヤの優先順位付けされたリストからなる測定リストが、ＵＥ５０に提供される（ブロック７０２）。測定リストに対するインデックス
【数１２０】
0006342520.tif 000127
は、周波数レイヤのうちのどの周波数レイヤが通常性能グループの一部であるかを示す（ブロック７０４）。信号が受信された場合又はビットがセットされている場合（ブロック７０６）、ＵＥ５０は、モード６で測定を実行し、低性能グループは存在せず（ブロック７０８）、ＭＧＲＰ及びリソース割り当ての両方が、ＵＥ５０により指定される（ブロック７１０及びブロック７１２）。
【００９５】
一方、受信が受信されない場合又はビットがクリアされている場合（ブロック７０６）、ＵＥ５０は、モード７又はモード８のいずれかで、上記のテーブル６に従って動作する。ＭＧＲＰが４０ｍｓでない場合（ブロック７１４）、ＵＥ５０は、モード７で動作する。通常性能グループにおける周波数レイヤの数は５であり（ブロック７１６）、リソース割り当ては４である（ブロック７１８）。そうでなければ、ＭＧＲＰは４０ｍｓであり（ブロック７１４）、通常性能グループにおける周波数レイヤの数は４であり（ブロック７２０）、リソース割り当ては７である（ブロック７２２）。この実施形態において３つの利用可能なモードを有することにより、ＵＥ５０のシステム設計を大いに単純化することができる。
【００９６】
実施形態６
実施形態６は、ＵＥ５０が高速で移動している状況に良く適している。実施形態６において、ＵＥ５０は、高性能グループ及び低性能グループの指定を動的に変更することができる。高速で移動している場合、ＵＥ５０は、周波数レイヤ及び測定要件を、低性能グループに移すことができる。ＵＥの速度に応じて周波数レイヤの割り当てを適応させることにより、いくつかの実施形態において、通常性能グループにおける測定遅延は、管理可能になる。例えば、ＵＥ５０が、例えば高速の列車上で、高速に移動している状況において、測定は、アイドル位置にあるＵＥについてよりも速く必要とされる。したがって、この状況下では、通常性能グループのサイズが、意図的に低減され得る。
【００９７】
いくつかの実施形態において、ＵＥ５０は、本明細書に記載の実施形態のいずれか又は全てを実施する能力を有することができる。他の実施形態において、ＵＥ５０は、その能力が、上記の実施形態のうちのほんのわずかな実施形態に制限される。実際上、ＵＥ５０は、初期化段階において、上記の実施形態のうちの１つの実施形態を採用する可能性が高く、その後は変更しない。しかしながら、例えば、ＵＥ５０が高速で移動しているときの実施形態６のように、ＵＥ５０がその構成を変更することが意味をなす状況が存在し得る。いずれの場合であっても、いくつかの実施形態において、ＵＥにより変更がなされるのであれば、いずれの構成の変更も準静的なものである。なぜならば、そのような変更に関連するシグナリングオーバーヘッドが存在するからである。
【００９８】
図１０Ａ及び図１０Ｂは、ｅＮＢ２０及びＵＥ５０（両方ともトランシーバである）を含む無線近傍８００の簡略化されたブロック図である。ｅＮＢ２０及びＵＥ５０は、いくつかの実施形態に従って、上述したＰＣＩＭ方法１００を利用する。この例において、ｅＮＢ２０は送信機として動作し、ＵＥ５０は受信機として動作する。図１０Ａは、ソフトウェアベースのバージョンのｅＮＢ２０及びＵＥ５０を示しているのに対し、図１０Ｂは、ＡＳＩＣベースのバージョンのｅＮＢ２０及びＵＥ５０を示している。
【００９９】
まず図１０Ａを参照すると、各デバイスは、アンテナ１５４、フロントエンド１３２、無線機１３６、ベースバンドデジタル信号プロセッサ（ＤＳＰ）１３８、及び媒体アクセスコントローラ（ＭＡＣ）１３０を含む。両方のデバイスが、各デバイス内に示されるハードウェアを有するが、ｅＮＢ２０は、そのフロントエンド１３２内に電力増幅器１４６を有するものとして示されているのに対し、ＵＥ５０は、そのフロントエンド内に低雑音増幅器１４８を含む。ｅＮＢ２０は、デジタルアナログ変換器（ＤＡＣ）１３４を含むのに対し、ＵＥ５０は、アナログデジタル変換器（ＡＤＣ）１４２を含む。ＵＥ５０は、ラップトップコンピュータ、セルラ電話機、又は他の無線システム等の実質的にあらゆる無線デバイスとすることができ、送信機（送信モード）又は受信機（受信モード）として動作することができる。
【０１００】
ＭＡＣ１３０は、組み込み中央処理装置（ＣＰＵ）１２４及びデータメモリ１２０を含み、ＰＣＩＭ方法１００（いくつかの実施形態において、その何らかの部分はソフトウェアベースである）は、データメモリにロードされて、ＣＰＵにより実行され得る。図１０Ａの図示はＭＡＣ１３０の簡略化された表現であり、ＭＡＣの一部分であり得る他のデバイス、回路、及び論理素子は省略されている。
【０１０１】
ＭＡＣ１３０は、フロントエンド１３２、ＤＡＣ１３４、ＡＤＣ１４２、無線機１３６、及びＤＳＰ１３８等の、送信機及び受信機内で通常見つけられる論理デバイスとインタフェースをとる。デバイス１３２、１３４、１３６、１３８、及び１４２はまた、本明細書において、ターゲットモジュールとしても知られる。ターゲットモジュール及びＭＡＣ１３０内の論理デバイスは、ハードウェア、ソフトウェア、又はハードウェアコンポーネントとソフトウェアコンポーネントとの組合せから構成され得る。
【０１０２】
ターゲットモジュールは、ほとんどの送信機及び受信機内で通常見つけられる。ＦＥ１３２は、アンテナ１５４に接続され、（送信機のための）電力増幅器（ＰＡ）、（受信機のための）低雑音増幅器（ＬＮＡ）、及び、送信機モードと受信機モードとの間で切り替えるためのアンテナスイッチ（図示せず）を含む。ＤＡＣ１３４は、ＤＳＰ１３８から到来したデジタル信号を、無線機（送信機）を介する送信の前に、アナログ信号に変換するために使用される。反対に、ＡＤＣ１４２は、無線機から到来したアナログ信号を、ＤＳＰ１３８（受信機）による処理の前に、デジタル信号に変換するために使用される。ｅＮＢ２０において、無線機１３６は、信号を、ベースバンドからキャリア周波数に移す。ＵＥ５０において、無線機１３６は、信号を、キャリア周波数からベースバンドに信号を移す。ＵＥ５０において、ＤＳＰ１３８は、ＭＡＣ１３０による処理のために、ＡＤＣ１４２からのＯＦＤＭ信号を復調する。ｅＮＢ２０において、ＤＳＰ１３８は、ＭＡＣデータを、ベースバンド周波数においてＯＦＤＭ信号に変調し、結果の信号をＤＡＣ１３４に送信する。
【０１０３】
典型的な送信動作は、次のように生じる。ｅＮＢ２０において、ＭＡＣ１３０は、パケットをＤＳＰ１３８に送信する。ＤＳＰ１３８は、パケットをデジタルＯＦＤＭ信号に変換し、デジタルＯＦＤＭ信号をＤＡＣ１３４に送信する。ＤＡＣ１３４は、デジタルＯＦＤＭ信号をアナログ信号に変換し、アナログ信号を無線機１３６に送信する。無線機１３６は、ベースバンド信号をキャリア周波数に変調し、信号をフロントエンド１３２の電力増幅器１４６に送信する。電力増幅器１４６は、アンテナ１５４を介する無線送信に適するように信号を増幅する。
【０１０４】
ＵＥ５０において、信号が、アンテナ１５４により受信される。弱いアナログ信号が、フロントエンド１３２の低雑音増幅器１４８に受信され、フロントエンド１３２は、増幅されたアナログ信号を無線機１３６に送信し、無線機１３６は、選択された周波数帯域に応じて信号をフィルタリングし、キャリア周波数信号をベースバンド信号に復調する。無線機１３６は、アナログ信号をＡＤＣ１４２に送信し、ＡＤＣ１４２は、アナログ信号を、ＤＳＰ１３８による処理に適したデジタル信号に変換する。ＤＳＰ１３８は、ＯＦＤＭ信号を復調し、信号をＭＡＣ１３０のパケットバイトに変換する。パケットの暗号化及び復号化等の他の動作は示されていない。送信が成功である場合、ＵＥ５０内のＭＡＣ１３０により受信されたパケットは、ｅＮＢ２０内のＭＡＣ１３０により送信されたパケットと同一である。
【０１０５】
他の実施形態において、図１０Ｂに示されるように、ｅＮＢ２０及びＵＥ５０は、ＭＡＣ１３０内にＣＰＵ１２４を含まない。代わりに、特定用途向け集積回路（ＡＳＩＣ）１９０が、論理レジスタ（１９２）を使用して実装される状態機械として、ＰＣＩＭ方法１００を駆動できる。図１０ＢのＡＳＩＣソリューションは、例えば、低電力消費が重要であるシステムにおいて、図１０ＡのＭＡＣベースの実装より好ましいものであり得る。
【０１０６】
限られた数の実施形態を参照して本出願について説明したが、当業者であれば、それらの実施形態からの多数の変更形態及び変形形態を理解するであろう。請求項は、本発明の真の主旨及び範囲に属する全てのそのような変更形態及び変形形態を網羅することが意図されている。
【図１】
0006342520.tif 000142
【図２】
0006342520.tif 000143
【図３】
0006342520.tif 000144
【図４】
0006342520.tif 000145
【図５】
0006342520.tif 000146
【図６】
0006342520.tif 000147
【図７】
0006342520.tif 000148
【図８】
0006342520.tif 000149
【図９】
0006342520.tif 000150
【図１０Ａ】
0006342520.tif 000151
【図１０Ｂ】
0006342520.tif 000152